(57)【特許請求の範囲】
【請求項１】
一方の引戸１の框２に内装された鎌受け摺動片３と、この鎌受け摺動片３に自在に係合する鎌片４を前記框２に対向する框５内に備えた他方の引戸６とから成り、前記鎌受け摺動片３は、引戸の開く方向向きに段差状受け面９を有し、かつ、框２に内装されたバネ部材８のバネ力に抗して上下方向に摺動可能に設けられ、一方、鎌片４は框５に摺動自在に内装された作動部材２３の作動により回転して先端部４ａが前記段差状受け面９に係合するように框５内に固定支軸３０を介して軸支されており、閉戸時、前記鎌片４が前記鎌受け摺動片３の段差状受け面９に係合している状態で、一方の引戸１を閉めても、前記鎌片４の先端部４ａと前記鎌受け摺動片３の段差状受け面９の係合位置が変位するだけであり、両部材４、３の係合状態は常に保たれていることを特徴とする引き違い戸の鎌錠装置。
【請求項２】
請求項１に於いて、鎌受け摺動片３は逆さ階段状の受け面９を有するブロック体であり、落下しないように外框２の内壁面のストッパー１０に止められ、常に鎌片４の先端部４ａと係合できるように位置付けられていることを特徴とする引き違い戸の鎌錠装置。
【請求項３】
請求項１において、鎌片４の先端部４ａは、階段状に設けられていることを特徴とする引き違い戸の鎌錠装置。
【請求項４】
一方の引戸１の框２に内装された鎌受け摺動片３Ａと、この鎌受け摺動片３Ａに自在に係合する鎌片４Ａを前記框２に対向する框５内に備えた他方の引戸６とから成り、前記鎌受け摺動片３Ａは、引戸の開く方向向きに段差状受け面９Ａを有し、かつ、框２に内装されたバネ部材８のバネ力に抗して上下方向に摺動可能に設けられ、一方、鎌片４Ａは框５に摺動自在に内装された作動部材２３の作動により回転して中間部４ｃが前記段差状受け面９Ａに係合するように框５内に固定支軸３０を介して軸支されており、閉戸時、前記鎌片４Ａが前記鎌受け摺動片３Ａの段差状受け面９Ａに係合している状態で、一方の引戸１を閉めても、前記鎌片４Ａの中間部４ｃと前記鎌受け摺動片３Ａの段差状受け面９Ａの係合位置が変位するだけであり、両部材４Ａ、３Ａの係合状態は常に保たれていることを特徴とする引き違い戸の鎌錠装置。
【発明の詳細な説明】
【０００１】
【発明の属する技術分野】
本発明は、引き違い戸の鎌錠装置に関する。
【０００２】
【従来の技術】
上下の横枠及び縦枠で矩形状に形成された戸枠内を水平移動する引き違い戸は、普通一般に勢い良く縦枠に衝突すると、いわゆる「跳ね返り現象」により、戸枠の縦枠側と引戸の縦框との間に間隙が生ずると言う問題点がある。
【０００３】
この間隙を防ぐために、従来、例えば長円形状の係合孔を有する係合具と係合バーとの自動係合による自動閉鎖装置（特公平４−７５９８６号公報に一例が記載されている。）が提案されている。
【０００４】
しかしながら、上記構成の自動閉鎖装置に於いては、引戸の鎌錠装置とは別に、いわゆるオプションとして取り付けなければならないので、設置場所、設置コスト、メンテナンス等の観点から解決すべき問題点がある。
【０００５】
【発明が解決しようとする課題】
本発明は以上のような従来の問題点に鑑み、第１の目的は、引戸の位置ズレに対して鎌片側の操作片を操作しなくても簡単な操作（引戸を閉めるという行為）により、完全に引戸が閉じた状態で鎌受け摺動片を常にロックすることができることである。第２の目的は、部品点数を少なくして前記第１目的を達成することができることである。第３の目的は、鎌錠装置の取り付け作業の効率化を図ることができることである。
【０００６】
【課題を解決するための手段】
本発明の引き違い戸の鎌錠装置は、一方の引戸１の框２に内装された鎌受け摺動片３と、この鎌受け摺動片３に自在に係合する鎌片４を前記框２に対向する框５内に備えた他方の引戸６とから成り、前記鎌受け摺動片３は、引戸の開く方向向きに段差状受け面９を有し、かつ、框２に内装されたバネ部材８のバネ力に抗して上下方向に摺動可能に設けられ、一方、鎌片４は框５に摺動自在に内装された作動部材２３の作動により回転して先端部４ａが前記段差状受け面９に係合するように框５内に固定支軸３０を介して軸支されており、閉戸時、前記鎌片４が前記鎌受け摺動片３の段差状受け面９に係合している状態で、一方の引戸１を閉めても、前記鎌片４の先端部４ａと前記鎌受け摺動片３の段差状受け面９の係合位置が変位するだけであり、両部材４、３の係合状態は常に保たれていることを特徴とする。
【０００７】
また引き違い戸の鎌錠装置は、一方の引戸１の框２に内装された鎌受け摺動片３Ａと、この鎌受け摺動片３Ａに自在に係合する鎌片４Ａを前記框２に対向する框５内に備えた他方の引戸６とから成り、前記鎌受け摺動片３Ａは、引戸の開く方向向きに段差状受け面９Ａを有し、かつ、框２に内装されたバネ部材８のバネ力に抗して上下方向に摺動可能に設けられ、一方、鎌片４Ａは框５に摺動自在に内装された作動部材２３の作動により回転して中間部４ｃが前記段差状受け面９Ａに係合するように框５内に固定支軸３０を介して軸支されており、閉戸時、前記鎌片４Ａが前記鎌受け摺動片３Ａの段差状受け面９Ａに係合している状態で、一方の引戸１を閉めても、前記鎌片４Ａの中間部４ｃと前記鎌受け摺動片３Ａの段差状受け面９Ａの係合位置が変位するだけであり、両部材４Ａ、３Ａの係合状態は常に保たれていることを特徴とする。
【０００８】
【発明の実施の形態】
まず、図１及び図２により本発明の実施形態の一例を説明する。Ｘは引き違い戸に取り付けられた鎌錠装置で、この鎌錠装置Ｘは、外側引戸（一方の引戸の意味）１の外框２に設けられた鎌受け摺動片３と、この鎌受け摺動片３に自在に係合する鎌片４を内框５に備えた内側引戸（他方の引戸の意味）６とから構成されている。
【０００９】
図１で示すように、外框２は外側引戸１の一端部に設けられた縦框であり、引戸１，６を互いに閉めた際に内框５と対向する縦板２ａの中央部或いは中央部よりの部位には、鎌片用窓７が形成されている。外框２内には、この鎌片用窓７に臨んで前記鎌受け摺動片３が、上方方向にバネ部材８のバネ力に抗してスライドすることができるように設けられている。
【００１０】
鎌受け摺動片３は、階段形状のブロック体であり、本実施例では、図１で示すように階段状（段差状も含む）の受け面９が下方を指向するように外框２内に組込まれている。また鎌受け摺動片３は、落下しないように外框２の内壁面に適宜に固定されたストッパー（或いはストッパー部）１０に止められ、常に鎌片４の先端部４ａと係合できるように位置付けられている。
【００１１】
ここで、前記階段状の受け面９の向きについて説明する。例えば障子を閉めた際に多少開いた場合において、開いた障子をそのまま閉めても、鎌片４の先端部４ａが常に上位の段差状受け面に滑動しながら移行することができるように、後向き（ここでは図１で示すように障子を閉める矢印Ａ方向へ向かって段差状の受け面が見えること。又は引戸の開く方向Ａに段差状受け面が指向していること。）となっている。
【００１２】
バネ部材８は、例えば圧縮コイルバネが採用され、上端部は外框２内に固定されたバネ端受け板１１に支持され、一方、下端部は鎌受け摺動片３の上面１２に圧接している。したがって、鎌受け摺動片３は、図２で示す仮想線の位置までバネ部材８のバネ力に抗して移動可能である。
【００１３】
図２には鎌片４と関係する環境部材が示されている。各環境部材については簡単に説明する。１５は外框２の鎌片用窓７と対向可能な鎌片出入り口１６を有するフロント、１７は内框５の開口部１８内に組込まれたケース状固定枠、１９は内框５に複数個の固着具２０を介して固定された内側カバー（通称、内側エスカチオン）、２１は内側カバーの内壁面に形成された切欠部２２内に組込まれた断面十字形状の操作片、２３はケース状固定枠１７に上下動自在（摺動自在の意味）に内装された枠状作動部材である。この枠状作動部材２３と操作片２１は一体的に設けられ、駆動部材としての機能を果たす。
【００１４】
なお、内側カバー（通称、内側エスカチオン）１９に操作片２１の摘み部２１ａ用案内小切欠部２５などが形成されている。また、ケース状固定枠１７にも操作片２１の案内小切欠部２６やフロント１５の鎌片出入り口１６と符合する窓状開口２７が形成されている。
【００１５】
鎌片の後端部４ｂは、ケース状固定枠１７に横設軸架された固定支軸３０に軸支され、かつ、後端部に形成されたＴ字型状の係合孔１３に係合する作動部材２３の作動軸３１に係止されている。
【００１６】
次に、図３は本発明の主要部材を示す。前述したように鎌受け摺動片３は、階段形状のブロック体であり、階段状の受け面９が下方を指向するように外框２内に組込まれている。そこで、本実施例の鎌片４の先端部４ａは、前記受け面９が階段状であることを考慮し、段差に形成されている。したがって、鎌片４の先端部４ａは、図６で示すように鎌受け摺動片３の一つの下位受け面９ａと上位受け面９ｂをそれぞれ係止する複数個の係止面を有する、と言うことに成る。
【００１７】
図４及び図５は、鎌受け摺動片３がバネ部材８に圧されて初期位置に下降し、かつ、鎌片４が非掛合状態であることを示す。この非掛合状態において、操作片２１の操作により作動部材２３が下降すると、鎌片４は固定支軸３０を中心に回転する。図６及び図７は、引戸１，６を適当に閉めた状態において、鎌片４の段差状先端部４ａが鎌受け摺動片３の逆さ段差状のいずれかの受け面９に当たった状態を示している。
【００１８】
したがって、鎌片４が鎌受け摺動片３を係止している状態で、今仮に外側引戸１が多少開いているならば、図１で示す矢印Ａ方向へ閉めると、鎌片４の先端部４ａは最初に係合した下位の受け面９ａから次の上位の受け面９ｂへと摺動し、かつ、常に掛合状態が保たれる。
【００１９】
【実施例】
第１実施例において、本実施例では、例えば図２を基準にすると、鎌片４の先端部４ａは、鎌受け摺動片３の下方に指向する階段状受け面９に係合するが、鎌片４の取付け如何によって、鎌片の先端部４ａが下向きに係合する場合には、当然、鎌受け摺動片３の階段状受け面９は上方に指向する。したがって、階段状受け面９が下向きであることは発明の特定要件ではない。要は、鎌受け摺動片３の階段状受け面９が、「後向き（引戸の開く方向向き）」であれば良い。
【００２０】
また鎌受け摺動片３は、望ましくは外框２の内壁面に設けた或いは形成したガイド部（例えばガイド溝）に案内されている。さらに、鎌片４は作動部材２３の上下動に追従して回転するが、前記作動部材２３は、設計如何によっては水平方向へと進退動するタイプでも良い。
【００２１】
次に図８乃至図１２に示す第２実施例について説明する。なお、第２実施例の説明にあたって、第１実施例と同一の部分には、同一又は同様の符号を付して重複する説明を省略する。
【００２２】
第２実施例において、前記実施例と主に異なる点は、鎌受け摺動片３Ａの形態である。
【００２３】
鎌受け摺動片３Ａは、図８で示すように、少なくとも下端部開口３５の受け枠状に形成されている。この受け枠状の鎌受け摺動片３Ａは、外框２の縦板２ａの内壁面に対向する側の一側壁３６に左右対象の逆さ段差受け面９Ａを有している。この逆さ段差受け面９Ａは、該壁面３６を切り欠くことによって形成されている。
【００２４】
また鎌受け摺動片３Ａは、一側壁３６と交差するバネ端受け面３７を対向側壁に３８有し、このバネ端受け面３７と前記一側壁３６との間には、鎌片４の先端部４ａが入り込むことが可能な先端部用開口３９が形成されている。
【００２５】
一方、鎌片４Ａの先端部４ａは、本実施例では前記逆さ段差受け面９Ａに係合する訳ではないので、段差状に形成されていない。この第２実施例に示した鎌片４Ａは、先端部４ａと後端部４ｂとの間に位置する中間部４ｃが係止機能を発揮するように鎌受け摺動片３Ａの逆さ段差受け面９Ａに係合する。
【００２６】
図９及び図１０（図４及び図５に相当する。）は、鎌受け摺動片３Ａがバネ部材８に圧されて初期位置に下降し、かつ、鎌片４Ａが非掛合状態であることを示す。この非掛合状態において、援用する図２の操作片２１の操作により作動部材２３が下降すると、鎌片４Ａは固定支軸３０を中心に回転する。図１１及び図１２（図６及び図７に相当する。）は、援用する図１の引戸１，６を適当に閉めた状態において、鎌片４Ａの中間部４ｃが鎌受け摺動片３Ａの逆さ段差状の受け面９Ａに当たった状態を示している。この場合図１２で示すように鎌受け摺動片３Ａの受け面９Ａは、鎌片４Ａの受け面９Ａの水平状内面等に当接している。
【００２７】
したがって、鎌片４Ａが鎌受け摺動片３Ａを係止している状態で、今仮に外側引戸が多少開いているならば、図１で示す矢印Ａ方向へ閉めると、鎌片４Ａの中間部４ｃは最初に係合した下位の受け面９ａから次の上位の受け面９ｂへと移行し、かつ、常に掛合状態が保たれる。
【００２８】
【発明の効果】
以上の説明から明らかなように、本発明にあっては、次に列挙するような作用・効果がある。
（１）鎌片が鎌受け摺動片を係止している（掛合）状態で引戸が多少開いている場合でも、引戸を単に閉めるだけで、鎌片の先端部或いは中間部が最初に係合した受け面９ａから次の受け面９ｂへと摺動し、常に掛合状態が保たれる。
【００２９】
つまり、引戸（例えば障子）の位置ズレに対して鎌片側の操作片を操作しなくても簡単な操作（引戸を閉めるという行為）により、完全に引戸が閉じた状態で鎌受け摺動片を常にロックすることができる。それ故に、オプションとしての自動閉鎖装置を鎌錠装置と別個に取り付ける必要性が減る。
（２）鎌受け摺動片に鎌片を受ける段差状受け面を形成したので、部品点数を少なくして済む。したがって、部品点数を極力少なくすることにより、前記第１目的を達成することができる。
（３）鎌受け摺動片の受け面が階段状の場合には、鎌片の取り付け位置が多少ズレても、いわゆる微調整をする必要がない。したがって、鎌錠装置の取り付け作業の効率化を図ることができる。
【図面の簡単な説明】
図１乃至図７は本明の第１例を示す各説明図。図８至図１２は本発明の第２実施例を示す各説明図。
【図１】発明の実施形態の一例を示す概略説明図。
【図２】実施形態の概略断面説明図。
【図３】主要部材の説明図。
【図４】鎌片と鎌受け摺動片との非掛合状態を示す説明図。
【図５】鎌片と鎌受け摺動片との非掛合状態を示す説明図。
【図６】鎌片と鎌受け摺動片との掛合状態を示す説明図。
【図７】鎌片と鎌受け摺動片との掛合状態を示す説明図。
【図８】第２実施例の主要部材の説明図。
【図９】鎌片と鎌受け摺動片との非掛合状態を示す説明図。
【図１０】鎌片と鎌受け摺動片との非掛合状態を示す説明図。
【図１１】鎌片と鎌受け摺動片との掛合状態を示す説明図。
【図１２】鎌片と鎌受け摺動片との掛合状態を示す説明図。
【符号の説明】
Ｘ…鎌錠装置、１…一方の引戸、２…外框、３，３Ａ…鎌受け摺動片、４，４Ａ…鎌片、４ａ…先端部、４ｂ…後端部、４ｃ…中間部、５…内框、６…他方の引戸、８…バネ部材、９，９Ａ…受け面、１０…ストッパー、１３…係合孔、１５…フロント、１６…鎌片出入り口、１７…固定枠、２１…操作片、２３…作動部材、３５…下端部開口、３６…一側壁、３８…対向側壁。
【図１】
0004198864.tif 000002
【図２】
0004198864.tif 000003
【図３】
0004198864.tif 000004
【図４】
0004198864.tif 000005
【図５】
0004198864.tif 000006
【図６】
0004198864.tif 000007
【図７】
0004198864.tif 000008
【図８】
0004198864.tif 000009
【図９】
0004198864.tif 000010
【図１０】
0004198864.tif 000011
【図１１】
0004198864.tif 000012
【図１２】
0004198864.tif 000013